(57)【要約】【課題】【解決手段】固定要素（４０）の固定部分（４５）には、実質的に径方向外側に突出する少なくとも１つの突出部（４６）が設けられており、固定部分（４５）は固定要素（４０）の残部と取外し可能に結合されている。飲料用ボトルを開けるためのツール（５０）において、固定要素（４０）に設けられた突出部（４６）のための接触面（５４）を有する。
2005538910.tif 000002
【特許請求の範囲】
【請求項１】
ボトル開口部（９，１０）を有するボトル本体（１）と、前記ボトル開口部（９，１０）を閉じる密封本体（３０）と、固定部分（４５）を有する固定要素（４０）とを具備し、この固定要素（４０）は、前記ボトル開口部（９，１０）を閉じる前記密封本体（３０）を少なくとも軸方向および／または径方向に保持するために、前記固定部分によって、取外し自在に前記ボトル本体（１）に固定されることができてなる、飲料用ボトルにおいて、
前記固定要素（４０）の前記固定部分（４５）には、実質的に径方向外側に突出する少なくとも１つの突出部（４６）が設けられていること、および前記固定部分（４５）は、前記固定要素（４０）の残部と取外し可能に結合されていることを特徴する飲料用ボトル。
【請求項２】
前記固定要素（４０）は、前記ボトル開口部（９，１０）に続くボトル縁部（３）に、軸方向および／または径方向に形状係合で固定されることができることを特徴とする請求項１に記載の飲料用ボトル。
【請求項３】
前記固定要素（４０）は、実質的にサーキュラシリンダジャケット状の側壁（４１）を有するキャップによって形成され、このキャップは、少なくとも部分的に密封本体（３０）を包摂し、蓋（４２）によって閉じられ、この蓋は、前記密封本体（３０）を前記ボトル開口部（９，１０）に保持するために用いられることを特徴とする請求項１または２に記載の飲料用ボトル。
【請求項４】
前記側壁（４１）には、周方向に延びている予定破断線すなわち切取り線（４４）が設けられており、この線によって、前記固定部分（４５）は、前記固定要素（４０）の残部から区分されていることを特徴とする請求項３に記載の飲料用ボトル。
【請求項５】
前記ボトル縁部は、前記ボトル本体（１）と共に、アンダーカット（７）を形成し、このアンダーカットには、前記側壁（４１）の前記固定部分（４６）が作用することを特徴とする請求項４に記載の飲料用ボトル。
【請求項６】
前記キャップ（４０）は、フランジキャップ、金網または収縮キャップであることを特徴とする請求項５に記載の飲料用ボトル。
【請求項７】
前記側壁（４１）の前記固定部分（４５）では、外側に、周方向に囲んでいる前記突出部（４６）が設けられていることを特徴とする請求項５または６に記載の飲料用ボトル。
【請求項８】
前記キャップ（４０）は、金属で形成されていることを特徴とする請求項７に記載の飲料用ボトル。
【請求項９】
前記突出部（４６）は、ビードによって形成されていることを特徴とする請求項８に記載の飲料用ボトル。
【請求項１０】
前記密封本体（３０）と前記ボトル開口部（９，１０）との間には、密閉要素（２０）が設けられていることを特徴とする前記すべての請求項のいずれか１に記載の飲料用ボトル。
【請求項１１】
前記すべての請求項のいずれか１に記載の飲料用ボトルを開けるためのツール（５０；７０）において、
前記固定要素（４０）に設けられた前記突出部（４６）のための接触面（５４；７４）を有することを特徴とするツール。
【請求項１２】
力を加える際に前記ツール（５０；７０）を軸方向に案内するために用いられる案内面（５０；７０）を有することを特徴とする請求項１１に記載のツール。
【請求項１３】
前記接触面（５４；７４）は少なくとも１つの隆起部（５５，５６；７５，７６）を有することを特徴とする請求項１１または１２に記載のツール。
【請求項１４】
前記接触面（５４；７４）は、前記隆起部（５５，５６；７５，７６）から始まって、少なくとも部分的に実質的に傾斜路状に延びていることを特徴とする請求項１３に記載のツール。
【請求項１５】
前記接触面（５４；７４）は実質的に波形に延びていることを特徴とする請求項１１ないし１４のいずれか１に記載のツール。
【請求項１６】
実質的にサーキュラシリンダジャケット状の基体（５１，７１）を有し、この基体の内面（５２；７２）は案内面を形成し、前記基体の一方の端面には、前記接触面（５４；７４）が設けられていることを特徴とする請求項１１ないし１５のいずれか１に記載のツール。
【請求項１７】
前記基体（５１，７１）は、他方の端面で、蓋（５３；７３）によって閉じられていることを特徴とする請求項１６に記載のツール。
【請求項１８】
前記固定部分の横断面よりも幾らか大きい寸法を有するリセス（８０）を具備することを特徴とする請求項１１ないし１７のいずれか１に記載のツール。
【請求項１９】
前記リセス（８０）は、前記ツール（７０）に形成されたカラー（７０）に設けられていることを特徴とする請求項１８に記載のツール。
【請求項２０】
請求項１ないし１０のいずれか１に記載の飲料用ボトルのための固定要素。
【請求項２１】
請求項１ないし１０のいずれか１に記載の飲料用ボトルおよび／または請求項１１ないし１９のいずれか１に記載のツールおよび／または請求項２０に記載の固定要素を有するシステムまたはセット。
【発明の詳細な説明】
【技術分野】
【０００１】
本発明は、ボトル開口部を有するボトル本体と、ボトル開口部を閉じる密封本体と、固定部分を有する固定要素とを具備し、この固定要素は、ボトル開口部を閉じる密封本体を少なくとも軸方向および／または径方向に保持するために、固定部分によって、取外し自在にボトル本体に固定されることができてなる、飲料用ボトルに関する。
【背景技術】
【０００２】
ワインボトルは、通常、ボトル開口部に挿入可能な天然コルクで閉じられる。この場合、ワイン生産者にとっておよび消費者にとっても、天然コルクがボトルを完全には密閉せず、それ故に、ワインが流れ出るか空気が浸入することになる危険性がある。このことは、大抵、結果として、ワインがボトルの内部でだめになることを伴う。このことは、特に生産者にとって、かなりの金銭的な損失をもたらす。
【０００３】
この問題を解決するためには、プラスチック、複合材料からなる、あるいはプラスチックで被覆されたコルクからなる密封本体を用いることは知られている。しかし、この場合、使用されたプラスチックが臭気を有し、その臭気がワインに達することがあるという欠点がある。更に、ワインにあるアルコールは、複合材料またはプラスチック材料からの成分を溶かし出すことがある。このような栓が、ワインのような高価な天然産物を楽しもうとする顧客に受け入れられないことは、決定的な欠点である。
【０００４】
ワイン消費との関連では、通常のワインボトルからのワインの注入の後に、ガラス栓によって閉じられることができるガラス瓶が知られている。
【発明の開示】
【発明が解決しようとする課題】
【０００５】
更に、栓用コルクが金網によってボトル本体に取着されてなるシャンパングラス用栓が知られている。ボトルを開ける前に、金網が手で除去されねばならない。この場合、損傷の危険性がある。更に、栓用コイルが、金網の出し抜けの除去後に、ボトル内部の過剰圧力の故に、突然制御がきかなくなって、ボトルの首から飛び出すとき、事故が生じることがある。
【０００６】
本発明の課題は、請求項１の前提部分に記載の、容易にかつ危険なしに開けることができる飲料用ボトルを製造することである。本発明に係わる飲料用ボトルでは、飲料の中味、特に、ワインのような繊細な飲料、しかしまた、例えば酢または油が、長時間の間に、確実にかつ間違いなく、および環境への悪影響に対し保護されつつ、貯蔵されることができることが意図される。
【課題を解決するための手段】
【０００７】
この課題は、本発明に基づき、請求項１に記載の密封可能な飲料用ボトルによって解決される。本発明の好都合な改善は、従属請求項に開示されている。
【０００８】
本発明に係わる飲料用ボトルは、ボトル開口部に挿入可能でありかつすべてガラスからなってもよい密封本体を有する。しかしまた、密封本体はプラスチックまたはコルクまたは複合材料から形成されていてもよい。固定要素は、密封本体がボトル本体内で軸方向および／または径方向に保持されていることを保証する。この目的のために、固定要素には、固定部分が形成されている。この固定部分によって、固定要素は取外し可能にボトル本体に固定されることができる。固定部分には、少なくとも１つの突出部が設けられている。この突出部は外側に、しかも実質的に径方向に突出している。外側に突出している突出部は、力のための作用面を形成する。この力が、飲料用ボトルを例えば適切なツールまたは手で開ける際に、突出部に加えられて、固定要素の、実質的に環状の固定部分が、突出部によって、固定要素の残部から外される。この目的のために、固定部分は固定要素の残部と取外し可能に結合されている。固定部分と固定要素の残部との間の取外し可能な結合は、予定破断線とも呼ばれ、例えば、切取り線によって実現化されていることができる。固定部分を固定要素の残部から分離した後に、後者の部分が密封本体から除去されることができる。それ故に、密封本体が再度除去されることができる。密封本体は、固定要素の残部と共に、ボトル開口部から除去されることができる。固定要素から分離された固定部分は、ボトルの首に残っているか、同様に取り除かれる。
【０００９】
飲料用ボトルの好ましい実施の形態は、固定要素が、ボトル開口部に続くボトル縁部に、軸方向および／または径方向に形状係合で固定されることができることを特徴とする。このことによって、密封本体の軸方向の固定に必要でありかつ固定要素によって吸収される軸方向力が、ボトル縁部を有するボトル本体に導入される。
【００１０】
飲料用ボトルの他の好ましい実施の形態は、固定要素が、実質的にサーキュラシリンダジャケット状の側壁を有するキャップによって形成され、このキャップは少なくとも部分的に密封本体を包摂し、蓋によって閉じられ、この蓋は密封本体をボトル開口部に保持するために用いられることを特徴とする。蓋は通常閉じられた状態で形成されているが、開口部を有してもよい。
【００１１】
飲料用ボトルの他の好ましい実施の形態は、側壁には、周方向に延びている予定破断線すなわち切取り線が設けられており、この線によって、固定部分は固定要素の残部から区分されていることを特徴とする。切取り線に沿って、側壁には、複数の穴が互いに均等に間隔をあけている。
【００１２】
切取り線は、側壁に付けられている切れ目も意味する。穴または切れ目は互いに不均等に間隔をあけていてもよい。切取り線は予定破断線と同一視されることができる。
【００１３】
飲料用ボトルの他の好ましい実施の形態は、ボトル縁部が、ボトル本体と共に、アンダーカットを形成し、このアンダーカットには、側壁の固定部分が作用することを特徴とする。このことによって、固定要素は、飲料用ボトルの閉じられた状態では、密封本体によってボトル開口部に固定される。
【００１４】
飲料用ボトルの他の好ましい実施の形態は、キャップがフランジキャップ、金網または収縮キャップであることを特徴とする。固定要素は、保護要素として用いられるリングを有する全引裂きキャップ（Ganzabrisskappe）としても形成されていてもよい。このリングは、全引裂きキャップをボトルから外すために、全引裂きキャップによって引き裂かれることができる。全引裂きキャップが、金属から、好ましくはアルミニウムからなるとき、密封本体をボトル開口部に密着した状態に保持するためには軸方向の保持力で十分である。固定要素は環状におよびスリーブ状に形成されていてもよい。切取り線の代わりに、固定要素は、ボトルを容易に開けることができるように、環状の切り込み、または他のタイプの、材料の弱い所を有する。
【００１５】
飲料用ボトルの他の好ましい実施の形態は、側壁の、予定破断線によって区分されている固定部分では、外側に、周方向に囲んでいる突出部が設けられていることを特徴とする。突出部は、連続的なビードとして形成されているが、中断されていてもよい。それ故に、突出部は，実際に、外側に突出する複数の突出部である。囲んでいる突出部は、ボトルを開ける人の指のためのあるいはボトルを開けるツールのための把持面を形成する。ボトルの閉じた状態では、ボトル開口部は密封本体によって閉じられている。密封本体はボトルに対し固定要素によって固定される。開ける際に、突出部には、予定破断線に直角に延びている作用線を有する力が加えられ、突出部を有する固定部分が予定破断線に沿って分離される。
【００１６】
飲料用ボトルの他の好ましい実施の形態は、キャップが金属から形成されていることを特徴とする。キャップがアルミニウムから製造されていることは好ましいが、射出成形法でプラスチックから製造されることもできる。
【００１７】
飲料用ボトルの他の好ましい実施の形態は、突出部がビードによって形成されることを特徴とする。ビードは、このビードが比較的容易にかつ安価にキャップに挿入されることができるという利点を有する。
【００１８】
飲料用ボトルの他の好ましい実施の形態は、密封本体とボトル開口部との間には、密閉要素が設けられていることを特徴とする。このことによって、製造技術的な大きなコストなしに、栓の高い密閉性が保証される。
【００１９】
本発明の課題は、飲料用ボトルを容易にかつ制御可能に開けることができる、前記飲料用ボトルを開けるためのツールを提供することでもある。
【００２０】
この課題は、前記飲料用ボトルを開けるためのツールの場合、固定要素に設けられた突出部のための接触面を有することにより解決される。ツールは、飲料用ボトルを開ける際に、接触面によって、突出部に装着される。次に、ツールに圧力が加えられて、その圧力が接触面を介して突出部に供給されて、固定部分は、固定要素の残部から外される。このことによって、飲料用ボトルを開けることが著しく容易になる。
【００２１】
ツールの好ましい実施の形態は、力を加える際にツールを軸方向に案内するために用いられる案内面を有することを特徴とする。ツールを軸方向に、すなわち、ボトルの縦軸に平行に案内することは、接触面の、突出部からの滑り落ちを阻止する。このことによって、連続的な開き工程が保証される。
【００２２】
ツールの他の好ましい実施の形態は、接触面が少なくとも１つの隆起部を有することを特徴とする。このことは、開きの際に、力が、まず、固定部分と固定要素の残部との間で、切れ目個所の一部分にのみ加えられる、という利点を供する。従って、予定破断線の一部分のみが破られる。予定破断線を部分的に解くためには、予定破断線全体を外すためにおよび固定部分全体を固定要素の残部から外すために必要であろうよりも遥かに少ない力が必要となる。
【００２３】
ツールの他の好ましい実施の形態は、接触面が、隆起部から始まって、少なくとも部分的に傾斜路状に延びていることを特徴とする。傾斜路形状によって達成されるのは、圧力がツールに加えられるとき、予定破断線が連続的に、次第に破れかつ分離されることである。固定部分と固定要素の残部との間の結合材料は、一度に分割されるのではなくて、部分的に、予定破断線すなわち切取りに沿って分離される。従って、比較的小さな力が、ツールから、接触面を介して均等に、好ましくは囲んでいる突出部に加えられる。
【００２４】
ツールの他の好ましい実施の形態は、接触面が実質的に波形に延びていることを特徴とする。交互の波の谷と波の山は、予定破断線の、比較的迅速な、しかし出し抜けではない分離を可能にする。
【００２５】
ツールの他の好ましい実施の形態は、実質的にサーキュラシリンダジャケット状の基体を有し、この基体の内面が案内面を形成し、基体の一方の端面には、接触面が設けられていることを特徴とする。ツールのこの形状は、魅力的な視覚的な外見をもたらし、更に、ツールの容易な取扱を保証する。
【００２６】
ツールの他の好ましい実施の形態は、基体が、他方の端面で、蓋によって閉じられていることを特徴とする。蓋は連続的に閉じられているか、少なくとも１つに開口部を有することができる。蓋の内側は、突出部に圧力を加える際の、ツールのためのストッパを形成する。ストッパは、固定要素の残部から分離された固定部分には、最早ツールによる力が加えられないことを保証する。
【００２７】
ツールの他の好ましい実施の形態は、固定部分の横断面よりも幾らか大きい寸法を有するリセスを具備することを特徴とする。ツールに形成されたこのリセスは、固定要素の残部から外れておりかつリングとして緩くボトルの首に載っている固定部分を、少なくとも１つの個所で破るために用いられる。それ故に、固定部分がボトルの首から取り外される。その代わりに、基体の高さは、以下のように、すなわち、接触面が、ツールの更なる降下の際に、分離された固定部分を、固定部分が少なくとも１つの個所で裂け、落ちて、ボトルの首から取り外されることができるまでの間、ストッパへまたは拡張するボトルの首へ押圧するように、選択されることができる。
【００２８】
ツールの他の好ましい実施の形態は、リセスが、ツールに形成されたカラーに設けられていることを特徴とする。カラーは、同時に、ボトルをツールで開ける人の手のための把持可能性を形成する。
【００２９】
本発明の課題は、ボトルを容易に開けることができる、前記飲料用ボトルのための固定要素を製造することである。
【００３０】
この課題は、前記固定要素の場合、固定要素の固定部分には、実質的に径方向外側に突出する突出部が設けられていることによって、および固定部分が固定要素の残部と取外し可能に結合されていることによって解決される。本発明に係わる固定要素の利点は、前記飲料用ボトルに関し記述された利点から明らかである。
【００３１】
本発明の課題は、飲料用ボトルを容易に開けることができる、前記飲料用ボトルを有するシステムまたはセットを製造することである。
【００３２】
この課題は、前記飲料用ボトルおよび／または前記ツールおよび／または前記固定要素を有するシステムまたはセットによって解決される。
【００３３】
本発明の他の利点、特徴および詳細は、以下記述から明らかである。
【発明を実施するための最良の形態】
【００３４】
図面を参照して種々の実施の形態を詳述する。図１には、ボトル本体１の部分が縦断面で示されている。ボトルの、図示された部分は、特にボトルの首２を有する。ボトルの首２には、径方向外側に突出するボトル縁部３が形成されている。ボトル縁部３の周面は３つの異なった領域を有する。シリンダ状の領域５は、ボトル縁部３の高さの主な部分に亘って延びており、図４に示した固定要素のための接触面として用いられることができる。ボトルの首の自由端に向かって、領域５には第２の領域６が続いている。この領域は、アールをつけて形成されている。その目的は、一方では損傷の危険性をはらみ、他方では衝突の際に容易に折れる鋭い角部を回避するためである。
【００３５】
シリンダ状の領域５の下方には、他の領域７が設けられている。この領域は同様にアールをつけて形成されており、ボトル縁部３の下方に位置しているボトルの首に移行する。それ故に、同様に参照符号７で示されたアンダーカットが形成される。
【００３６】
点線９および１０によって、ボトル開口部が示されている。ボトル開口部の端部には、ボトルの口１２が設けられている。図１に示したボトル本体１は、図２ないし５に示された物とは異なる縮尺で示されている。実際には、図１に示したボトル本体１は、図２に示したパッキングおよび図３に示した密封本体が、少なくとも部分的にボトル開口部９に挿入されることができるほどに、それほど大きい。
【００３７】
図２には、密閉要素２０が示されている。この密閉要素は実質的にシリンダジャケット状の部分２１を有する。この部分２１の外径は、部分２１がボトル開口部９に挿入されることができるように、選択されている。部分２１の一端には、フランジ２２が形成されており、このフランジはボトルの首に被せられる。
【００３８】
図３には、栓３０の形の密封本体が示されている。密封本体３０はフランジ３１を有する。フランジの外径は、実質的に、図１に示したフランジ縁部９の外径に対応する。フランジ３１はシャフト３２に移行する。このシャフトは、シリンダ状の部分３３の後に、自由端に向かってテーパをなしている部分３４を有する。しかし、シャフト３２は完全にシリンダ状であってもよい。
【００３９】
図４には、サーキュラシリンダジャケット状の側壁４１を有する固定要素４０が縦断面で示されている。この側壁４１は、一側では、蓋４２によって閉じられている。図示した実施の形態では、蓋４２は側壁４１と一体的に形成されている。側壁４１には、切取り線４４が周方向に延びている。この切取り線は予定破断線とも呼ばれる。予定破断線４４によって、固定部分４５が側壁４１から分離される。固定部分４５はサーキュラシリンダジャケットの形状を有する。このサーキュラシリンダジャケットには、固定部分を囲んでいる突出部４６が切取り線４４の付近に形成されている。囲んでいる突出部４６は、この実施の形態では、ビードとして形成されていてもよい。
【００４０】
図５では、固定部分４５を予定破断線４４に沿って固定要素４から分離するために用いられるツール５０が示されている。
【００４１】
この目的のために、ツール５０は、サーキュラシリンダジャケット状の基体５１をもって形成されている。基体の内径は固定要素４０の側壁４１の外径よりも幾らか大きい。しかし、基体の内径は、囲んでいる突出部４６の外径よりも小さい。基体５１の、内側のジャケット面は、案内面５２を形成する。この案内面は、ツールが固定要素４０に被せられるとき、ツール５０を案内するために用いられる。基体５１の一方の端面は接触面５４を形成する。この接触面は、ツール５０が固定要素４０に被せられるとき、突出部４６に接触する。基体５１は、他方の端面では、蓋５３によって閉じられている。蓋の内側は固定要素４０の蓋４２のための停止面を形成する。
【００４２】
基体５１の一方の端面に形成された接触面５４は、２つの隆起部５５および５６をもって、平坦ではなく、波形である。隆起部は波の山とも呼ばれる。ツール５０が固定要素４０に被せられるとき、隆起部５５および５６は、まず、囲んでいる突出部４６と接触する。圧力が更にツール５０に加えられると、予定破断線４４は、隆起部５５および５６が、囲んでいる突出部４６と接触していてなる個所で、まず切断される。ツール５０が更に降下されると、予定破断線４４の残りも、波の山５５と５６の間に形成された波の谷によって、解かれて、固定部分４５は完全に固定要素４０の側壁４１の残りから分離される。
【００４３】
蓋５３の延長線上では、基体５１にカラー５７が形成されている。このカラーはツール５０を用いる人の手のための把持面を形成する。蓋５３は、この実施の形態では、開口部５８を有する。開口部は、ツール５０が固定要素４０に被せられるとき、基体５１の内部から空気を逃がすことを可能にする。しかし、蓋５３が閉じた状態で形成されているのもよいのは、他の場合では閉じ込められた空気の逃がしを可能にするために、例えば、ツール５０の基体５１と、固定要素４０の側壁４１との間に、遊びが十分に設けられているときである。
【００４４】
図１ないし５の概観を、本発明に係わる飲料用ボトルの分解図として見做すこともできる。異なった尺度が図１および図２ないし５の基礎になっていることを除いて、図１ないし５の概観からは、ボトル本体１、密閉要素２０、密封本体３０、固定要素４０およびツール５０が、例えば図６に示したシステムの一部であることが明らかである。
【００４５】
図６には、ボトルの首２を有するボトル本体１が示されている。ボトルの首のボトル縁部３には、密閉要素２０および栓３０が被せられている。栓３０のフランジ３１は、パッキング２０を介して、ボトル縁部３の端面に支持されている。
【００４６】
密封本体３０およびパッキング２０は、固定要素４０によって、ボトル縁部３に対し固定される。この目的のために、固定要素４０の固定部分４５が、ボトル縁部を囲んでいるアンダーカット７の周りに折り曲げられている。閉じた状態では、固定部分４５は、予定破断線４４を介して、固定要素４０の残部にしっかり結合されている。
【００４７】
飲料用ボトルを開けるために、図では部分的にしか示されていないツール５０は、外側から、固定要素４０に被せられ、接触面５４は囲んでいる突出部４６に接触する。そのとき上方から圧力がツール５０に加えられると、予定破断線４４は次第に解かれる。遂には、固定部分４５は固定要素４０の残りから離れて、ボトルを開けるために、固定要素４０が除去されることができる。用途に応じて、固定要素４０は、密封本体３０と共におよび場合によってはパッキング２０と共にあるいはボトル縁部３のみから除去されることができる。
【００４８】
図７には、図５のツール５０に類似するツール７０が示されている。ツール７０はサーキュラシリンダジャケット状の基体７１を有する。基体の内側は案内面７２を形成する。基体７１は、一方の端面で、蓋７３によって閉じられている。他方の端面では、隆起部７５および７６を有する接触面７４が形成されている。蓋７３は、外側へ、カラー７７に連なっている。カラーには、リセス８０が設けられている。リセス８０は、実質的に環状の固定部分４５が固定要素４０の残りから分離された後に、この固定部分を有するために、およびツール７０を捻ることによって、少なくとも1つの個所で、周方向に対し直角方向に切断するために、用いられる。このとき、かくて切断された固定部分または固定リングは、問題なく、ボトルの首から除去されることができる。リセス８０は、平面図では、長孔の形を有する。長孔の一方の辺から長方形の開口部が外側へ延びている。
【図面の簡単な説明】
【００４９】
【図１】本発明の第１の実施の形態に基づく飲料用ボトルの部分縦断面を示す。
【図２】密閉要素の断面図を示す。
【図３】密封本体の縦断面図を示す。
【図４】固定要素の縦断面図を示す。
【図５】本発明の第１の実施の形態に基づくツールの縦断面を示す。
【図６】ボトルの首の縦断面を示す。ボトルの首は、固定要素を用いて、密閉要素を有する密封本体によって閉じられている。開けるためのツールはボトルに取り付けられている。
【図７】他の実施の形態に基づくツールの縦断面図を示す。
【図８】図７に断面で示したツールの平面図を示す。
【図１】
2005538910.tif 000003
【図２】
2005538910.tif 000004
【図３】
2005538910.tif 000005
【図４】
2005538910.tif 000006
【図５】
2005538910.tif 000007
【図６】
2005538910.tif 000008
【図７】
2005538910.tif 000009
【図８】
2005538910.tif 000010
【国際調査報告】
2005538910.tif 000011
2005538910.tif 000012
2005538910.tif 000013
2005538910.tif 000014